(57)【要約】【課題】ロック位置でレバー部材を篏合させるための力を低減することができるコネクタ部材及びコネクタを提供する。【解決手段】コネクタ部材１２は、ハウジング１６と、このハウジングに移動自在に支持されたレバー部材１８と、を有し、前記レバー部材１８は、該レバー部材１８が他のコネクタ部材に固定されるロック位置まで前記ハウジング１６に接触圧をもって移動するロック補助部４８を有し、前記ハウジング１６及び前記ロック補助部４８の少なくとも一方に設けられ、前記ロック位置の直前部分にあって、前記レバー部材の移動方向へ向けて徐々に前記ハウジング１６と前記ロック補助部４８との接触圧が小さくなるように形成された傾斜部６８を有する。【選択図】図６
2019139839.tif 000002
【特許請求の範囲】
【請求項１】
ハウジングと、
このハウジングに移動自在に支持されたレバー部材と、
を有し、
前記レバー部材は、該レバー部材が他のコネクタ部材に固定されるロック位置まで前記ハウジングに接触圧をもって移動するロック補助部を有し、
前記ハウジング及び前記ロック補助部の少なくとも一方に設けられ、前記ロック位置の直前部分にあって、前記レバー部材の移動方向へ向けて徐々に前記ハウジングと前記ロック補助部との接触圧が小さくなるように形成された傾斜部を有する
コネクタ部材。
【請求項２】
前記レバー部材は、前記ハウジングに回転自在に支持され、前記傾斜部は前記ハウジングのレバー部材回転方向に形成されている請求項１記載のコネクタ部材。
【請求項３】
前記ロック補助部は、前記レバー部材が前記ハウジングに固定されるプリロック位置と前記ロック位置との間で移動する請求項１又は２記載のコネクタ部材。
【請求項４】
前記ハウジングは、前記レバー部材のプリロック位置にあって、前記ロック補助部が係合する係合部を有し、前記他のコネクタ部材が挿入されることにより前記ロック補助部と前記係合部との係合が解除される請求項３記載のコネクタ部材。
【請求項５】
第１のコネクタ部材と、この第１のコネクタ部材に篏合する第２のコネクタ部材とを有するコネクタであって、
前記第１のコネクタ部材は、
ハウジングと、
このハウジングに移動自在に支持されたレバー部材と、
を有し、
前記レバー部材は、該レバー部材が前記第２のコネクタ部材に固定されるロック位置まで前記ハウジングに接触圧をもって移動するロック補助部を有し、
前記ハウジング及び前記摺動部の少なくとも一方に設けられ、前記ロック位置の直前部分にあって、前記レバー部材の移動方向へ向けて徐々に前記ハウジングと前記ロック補助部との接触圧が小さくなるように形成された傾斜部を有する
コネクタ。
【発明の詳細な説明】
【技術分野】
【０００１】
本発明は、コネクタ部材及びコネクタに関する。
【背景技術】
【０００２】
従来、レバー部材を用いてコネクタ部材同士を強固に固定するようにしたコネクタが知られている。
【０００３】
例えば特許文献１には、一方のコネクタ部材にレバー部材を設け、このレバー部材に形成されたカム溝に、他方のコネクタ部材に形成された突起ピンを篏合させるようにしたコネクタが示されている。
【先行技術文献】
【特許文献】
【０００４】
【特許文献１】特表２００８−５１０２８１号公報
【発明の概要】
【発明が解決しようとする課題】
【０００５】
上記従来のコネクタにおいては、ロック位置ではレバー部材と他方のコネクタ部材とがコネクタロック機構を介して連結される。このコネクタロック機構は、レバー部材と他方のコネクタ部材とにそれぞれ形成された篏合部を乗り越えて篏合させるようになっている。したがって、レバー部材を篏合させるために大きな力を必要としていた。
【０００６】
本発明は、ロック位置でレバー部材を篏合させるための力を低減することができるコネクタ部材及びコネクタを提供することを目的としている。
【課題を解決するための手段】
【０００７】
本発明の第１の態様は、ハウジングと、このハウジングに移動自在に支持されたレバー部材と、を有し、前記レバー部材は、該レバー部材が他のコネクタ部材に固定されるロック位置まで前記ハウジングに接触圧をもって移動するロック補助部を有し、前記ハウジング及び前記ロック補助部の少なくとも一方に設けられ、前記ロック位置の直前部分にあって、前記レバー部材の移動方向へ向けて徐々に前記ハウジングと前記ロック補助部との接触圧が小さくなるように形成された傾斜部を有するコネクタ部材である。
【０００８】
本発明の第２の態様は、上記第１の態様において、前記レバー部材は、前記ハウジングに回転自在に支持され、前記傾斜部は前記ハウジングのレバー部材回転方向に形成されているコネクタ部材である。
【０００９】
本発明の第３の態様は、上記第１又は第２の態様において、前記ロック補助部は、前記レバー部材が前記ハウジングに固定されるプリロック位置と前記ロック位置との間で移動するコネクタ部材である。
【００１０】
本発明の第４の態様は、上記第３の態様において、前記ハウジングは、前記レバー部材のプリロック位置にあって、前記ロック補助部が係合する係合部を有し、前記他のコネクタ部材が挿入されることにより前記ロック補助部と前記係合部との係合が解除されるコネクタ部材である。
【００１１】
本発明の第５の態様は、第１のコネクタ部材と、この第１のコネクタ部材に篏合する第２のコネクタ部材とを有するコネクタであって、前記第１のコネクタ部材は、ハウジングと、このハウジングに移動自在に支持されたレバー部材と、を有し、前記レバー部材は、該レバー部材が前記第２のコネクタ部材に固定されるロック位置まで前記ハウジングに接触圧をもって移動するロック補助部を有し、前記ハウジング及び前記ロック補助部の少なくとも一方に設けられ、前記ロック位置の直前部分にあって、前記レバー部材の移動方向へ向けて徐々に前記ハウジングと前記ロック補助部との接触圧が小さくなるように形成された傾斜部を有するコネクタである。
【発明の効果】
【００１２】
上記本発明の第１又は第５の態様によれば、ロック位置でレバー部材を篏合させるための力を低減することができる。
【００１３】
上記本発明の第２の態様によれば、レバー部材を回転して篏合する場合、レバー部材の篏合させるための力を低減することができる。
【００１４】
上記本発明の第３の態様によれば、レバー部材をプリロック位置とロック位置との間で移動させることができる。
【００１５】
上記本発明の第４の態様によれば、プリロック位置にあってレバー部材の係合を容易に解除することができる。
【図面の簡単な説明】
【００１６】
【図１】本発明の実施形態に係るコネクタを示し、第１のコネクタと第２のコネクタとの篏合前の状態を示し、第１のコネクタ側斜め上方から見た斜視図である。
【図２】本発明の実施形態に係るコネクタを示し、第１のコネクタと第２のコネクタとの篏合前の状態を示し、第２のコネクタ側斜め上方から見た斜視図である。
【図３】本発明の実施形態に係るコネクタに用いたレバー部材を示す斜視図である。
【図４】本発明の実施形態に係る第１のコネクタ部材を示し、（ａ）は正面図、（ｂ）は（ａ）のＡ−Ａ線断面図である。
【図５】本発明の実施形態に係るコネクタにおけるプリロック解除前の断面図である。
【図６】本発明の実施形態に係るコネクタにおけるロック前の断面図である。
【図７】本発明の実施形態に係るコネクタにおいて、プリロック解除前の状態を示し、（ａ）は側面図、（ｂ）は（ａ）のＢ−Ｂ線断面図、（ｃ）は（ａ）のＣ−Ｃ線断面図である。
【図８】本発明の実施形態に係るコネクタにおいて、プリロック解除後の状態を示し、（ａ）は側面図、（ｂ）は（ａ）のＤ−Ｄ線断面図、（ｃ）は（ａ）のＥ−Ｅ線断面図である。
【図９】本発明の実施形態に係るコネクタにおいて、ロック前の状態を示し、（ａ）は側面図、（ｂ）は（ａ）のＦ−Ｆ線断面図、（ｃ）は（ａ）のＧ−Ｇ線断面図である。
【図１０】本発明の実施形態に係るコネクタにおいて、ロック時の状態を示し、（ａ）は側面図、（ｂ）は（ａ）のＨ−Ｈ線断面図、（ｃ）は（ａ）のＩ−Ｉ線断面図である。
【発明を実施するための形態】
【００１７】
次に本発明に係る実施形態について説明する。
図１及び図２において、コネクタ１０は、第１のコネクタ部材１２と、この第１のコネクタ部材１２に篏合する第２のコネクタ部材１４とから構成されている。
【００１８】
第１のコネクタ部材１２は例えば雌コネクタ部材であり、第１のハウジング１６と、この第１のハウジング１６に回転自在に装着されたレバー部材１８とを有する。第１のハウジング１６は、略四角形の筒状に形成され、この第１のハウジング１６内には、同じく四角形状に形成された端子支持部２０が形成されている。端子支持部２０には、多数の端子挿入用孔２２が規則正しく形成されている。この端子挿入用孔２２には図示しない雌端子が挿入される。また、この端子支持部２０には、例えば２つの案内用孔２４，２４が形成されている。また、第１のハウジング１６の背面側にはフード部材２６が設けられ、このフード部材２６により雌端子に接続されるワイヤを囲むようになっている。
【００１９】
第２のコネクタ部材１４は例えば雄コネクタ部材であり、板状のハウジング本体２８を有する。このハウジング本体２８の前面には例えば２つの第２のハウジング３０ａ，３０ｂが設けられている。第２のハウジング３０ａ，３０ｂは、第１のハウジング１６と同様に、略四角形の筒状に形成されている。この第２のハウジング３０ａ，３０ｂ内には、前述した第１のコネクタ部材１２の端子挿入用孔２２に対応して、雄端子３２が規則正しく配置されている。雄端子３２は、Ｌ状に形成され、ハウジング本体２８の裏面から下方に突出されている。また、第２のハウジング３０ａ内には、例えば２つの案内用突起３４，３４が設けられ、この案内用突起３４，３４が前述した第１のコネクタ部材１２の案内用孔２４，２４に挿入されるようになっている。
【００２０】
第１のコネクタ部材１２は、第１のハウジング１６の内側に第２のコネクタ部材１４の第２のハウジング３０ａが挿入篏合される（図においては、第２のハウジング３０ａが挿入篏合されるが、第２のハウジング３０ｂも図示しない第１のハウジングに挿入篏合される）。この挿入篏合にあたっては、第２のコネクタ部材１４の案内用突起３４が第１のコネクタ部材１２の案内用孔２４に挿入されることにより第１のハウジング１２と第２のハウジング３０ａとが案内される。そして、第１のコネクタ部材１２の雌端子に第２のコネクタ部材１４の雄端子３２が挿入されて電気的な接続がなされる。
【００２１】
レバー部材１８は、図３に示すように、両側に配置された腕部３６，３６と、腕部３６，３６間を接続する操作部３８とを有する。腕部３６，３６には回転支持用孔４０，４０が形成されている。この回転支持用孔４０，４０には、第１のハウジング１６の側面に突出して形成された回転軸４２，４２（図１及び図２に示す）が嵌められている。レバー部材１８は、回転支持用孔４０，４０及び回転軸４２，４２を介して第１のハウジング１６に対して移動自在、この実施形態においては回転自在に支持されている。
【００２２】
また、レバー部材１８には、反操作部側の腕部３６，３６の先端にロック用篏合部４４，４４が形成されている。この実施形態においては、ロック用篏合部４４，４４は、２つの凸部の間に凹部が形成されて構成されている。このロック用篏合部４４，４４は、第２のハウジング３０ａに半円柱状に外側へ突出して形成されたロック用被篏合部４６，４６（図１及び図２に示す）に篏合し、レバー部材１８を介して第１のハウジング１６と第２のハウジング３０ａとをロックする。
【００２３】
また、レバー部材１８には、腕部３６，３６の根元から下方に延びるロック補助部４８，４８が設けられている。この実施形態においては、ロック補助部４８，４８の先端にロック補助用突起５０，５０が第１のハウジング１６側に突出するように形成されている。一方、図４に示すように、第１のハウジング１６には、係合部であるプリロック用孔５２，５２が形成されており、プリロック位置においては、このプリロック用孔５２，５２にロック補助用突起５０，５０が係合するようになっている。
なお、プリロックとは、第１のコネクタ部材１２と第２のコネクタ部材１４とをロックする前に第１のハウジング１６にレバー部材１８を安定的に保持することをいう。
【００２４】
また、第１のハウジング１６の側面内側には、プリック解除用溝５４，５４が形成されている。このプリロック解除用溝５４，５４は、プリロック用孔５２，５２を挟んで第２のコネクタ部材１４を挿入する方向と平行に形成されている。一方、第２のコネクタ部材１４の第２のハウジング３０ａの側面にはプリロック解除用突起５６，５６（図１、図２及び図５に示す）が形成されている。このプリロック解除用突起５６，５６は、プリロック解除用溝５４，５４に対応して第２のコネクタ部材１４の挿入方向と平行に形成されている。図５に示すように、第１のハウジング１６に第２のハウジング３０ａを挿入する際にはプリロック解除用溝５４，５４にプリロック解除用突起５６，５６が嵌り、第１のハウジング１６に対する第２のハウジングの挿入が進むと、プリロック解除用突起５６，５６の先端がレバー部材１８のロック補助用突起５０，５０に当たり、さらに第１のハウジング１６に対する第２のハウジングの挿入が進むと、レバー部材１８のロック補助部４８，４８の弾性に抗してロック補助部４８，４８が外側へ押し広げられ、レバー部材１８を回転させることによりプリロック解除用孔５２，５２とロック補助用突起５０，５０との係合が解かれ、プリロックを解除することができる。
なお、ロック補助用突起５０，５０には第１の傾斜部５８，５８が、プリロック解除用突起５６，５６には第２の傾斜部６０，６０がそれぞれ形成され、この第１の傾斜部５８，５８及び第２の傾斜部６０，６０を介してプリロック解除用突起５６，５６とロック補助用突起５０，５０との係合を容易に解くようになっている。
【００２５】
上述のように、レバー部材１８のプリロックが解除されると、ロック補助部４８，４８のロック補助用突起５６，５６が両側から第１のハウジング１６の側面を挟むようになり、レバー部材１８は、ロック補助用突起５０，５０が第１のハウジング１６の側面に沿って摺動し、接触圧をもってロック位置まで回転できるようになる。
【００２６】
ロック位置においては、第１のハウジング１６に形成されたロック用孔６４，６４（図４（ｂ）に示す）を介してロック用篏合部４４，４４が第２のハウジング３０ａ側に露出し、ロック用篏合部４４，４４が第２のハウジング３０ａのロック用被篏合部４６，４６に篏合し、第１のハウジング１６と第２のハウジング３０ａとがロック状態となる。
【００２７】
ロック補助部４８，４８のロック補助用突起５０，５０は、回転軸４２，４２を中心とした円弧を描く。図６に示すように、第１のハウジング３０ａの側面には、ロック案内孔６６，６６の位置であるロック位置の直前部分に第３の傾斜部６８，６８が形成されている。この第３の傾斜部６８，６８は、レバー部材１８のロック位置への回転方向に向けてロック補助用突起５０，５０の第１のハウジング３０ａへの接触圧が徐々に小さくなるように傾斜している。このため、レバー部材１８には、第１のハウジング３０ａへの接触圧の分力としてロック位置への回転方向に向けた力が作用し、レバー部材１８をロック位置まで移動する力を低減することができ、第１のコネクタ部材１２と第２のコネクタ部材１４との篏合を補助することができる。
【００２８】
この実施形態においては、ロック補助用突起５０，５０に第４の傾斜部７０，７０が形成され、この第４の傾斜部７０，７０が第３の傾斜部６８，６８に接触するようになっている。
なお、傾斜部は、ロック補助部４８，４８及び第１のハウジング３０ａの少なくも一方に形成されていればよい。
【００２９】
次に図７から図１０を用いて第１のコネクタ部材１２と第２のコネクタ部材１４とが篏合する動作について説明する。
【００３０】
図７は、第１のコネクタ部材１２と第２のコネクタ部材１４との篏合当初の状態を示す。レバー部材１８は、ロック補助用突起５０，５０が第１のハウジング３０ａのプリロック用孔５２，５２に係合し、プリロック状態にある。そして、第２のハウジング３０ａは、案内用突起３４，３４が第１ハウジング３０ａの案内用孔２４に挿入されて案内され、第１のハウジング１６の内側に挿入される。第２のハウジング３０ａのプリロック解除用突起５６，５６も第１のハウジング１６のプリロック解除用溝５４，５４に挿入される。
【００３１】
そして、さらに第２のハウジング３０ａの第１のハウジング１６への挿入を推し進めると、図７（ｂ）に示すように、プリロック解除用突起５６，５６の先端がロック補助用突起５０，５０に当たる。
【００３２】
図８は、プリロックを解除した状態を示す。
図７に示す状態からさらに第２のハウジング３０ａの第１のハウジング１６への挿入を推し進めると、プリロック解除用突起５６，５６がロック補助用突起５０，５０を押圧し、ロック補助部４８，４８の弾性に抗してロック補助部４８，４８が外側へ向けて押し広げられる。この状態からレバー部材１８を時計方向に少し回転すると、ロック補助用突起５０，５０がプリロック用孔５２，５２から外れ、プリロックを解除することになる。プリロックが解除されると、ロック補助用突起５０，５０が第１のハウジング１６の側面に当たり、ロック補助部４８，４８の第１のハウジング１６への押圧を受けながらレバー部材１８を回転させることができるようになる。
【００３３】
図９は、ロック位置直前の状態を示す。
レバー部材１８を回転させながら第２のハウジング３０ａの第１のハウジング１６への挿入を進めると、レバー部材１８のロック補助用突起５０，５０が第３の傾斜部６８，６８にかかるようになる。この第３の傾斜部６８，６８は、レバー部材１８のロック位置への回転方向に向けてロック補助用突起５０，５０の第１のハウジング３０ａへの接触圧が徐々に小さくなるように傾斜しているので、レバー部材１８には、第１のハウジング３０ａへの接触圧の分力としてロック位置への回転方向に向けた力が作用し、レバー部材１８をロック位置まで移動する力を軽減することができ、第１のコネクタ部材１２と第２のコネクタ部材１４との篏合を補助することができる。
【００３４】
図１０は、ロック位置にある状態を示す。
レバー部材１８のロック補助用突起５０，５０は、第３の傾斜部６８，６８から離れ、第２のハウジング３０ａの側面に接するようになる。また、ロック用篏合部４４，４４が第２のハウジング３０ａ側に露出し、ロック用篏合部４４，４４が第２のハウジング３０ａのロック用被篏合部４６，４６に篏合し、レバー部材１８を介して第１のハウジング１６と第２のハウジング３０ａとがロック状態となる。
【符号の説明】
【００３５】
１０    コネクタ
１２    第１のコネクタ部材
１４    第２のコネクタ部材
１６    第１のハウジング
１８    レバー部材
２０    端子支持部
２２    端子挿入用孔
２４    案内用孔
２６    フード部材
２８    ハウジング本体
３０ａ，３０ｂ    第２のハウジング
３２    雄端子
３４    案内用突起
３６    腕部
３８    操作部
４０    回転支持用孔
４２    回転軸
４４    ロック用篏合部
４６    ロック用被篏合部
４８    ロック補助部
５０    ロック補助用突起
５２    プリロック用孔
５４    プリロック用溝
５６    プリロック用突起
５８    第１の傾斜部
６０    第２の傾斜部
６４    ロック用孔
６６    ロック案内孔
６８    第３の傾斜部
７０    第４の傾斜部
【図１】
2019139839.tif 000003
【図２】
2019139839.tif 000004
【図３】
2019139839.tif 000005
【図４】
2019139839.tif 000006
【図５】
2019139839.tif 000007
【図６】
2019139839.tif 000008
【図７】
2019139839.tif 000009
【図８】
2019139839.tif 000010
【図９】
2019139839.tif 000011
【図１０】
2019139839.tif 000012